(57)【特許請求の範囲】
【請求項１】
合成樹脂からなる軒樋支持具であって、該軒樋支持具の本体は被取付面に取着される取付け基台と軒樋を吊り下げ支持する支持部とからなり、上記取付け基台には挿通孔が穿たれるとともに、該挿通孔の内面は上記軒樋支持具を形成するベース合成樹脂とは異なる機能性樹脂でライニング成形されてビス孔とされ、取着用ビスの保持力が向上された構造であり、上記機能性樹脂を被取付面からの可塑剤の移行を阻止する能力がある合成樹脂から構成するとともに、ライニング部の被取付面側を上記挿通孔から突出させ隆起突出部が形成され、上記挿通孔の内面をライニングする機能性樹脂の成形収縮率をベース合成樹脂の成形収縮率に対して２倍以下とする軒樋支持具取付け構造。
【請求項２】
上記挿通孔の内面をライニングする機能性樹脂のビス孔入り口部に内方に突出する円環部が周設された請求項１に記載の軒樋支持具取付け構造。
【発明の詳細な説明】
【技術分野】
【０００１】
本願発明は、軒樋支持具に関し、特に軒樋の前耳部と後耳部とを係止して吊り下げ方式で軒樋を支持する軒樋支持具の取付け構造に関するものである。
【背景技術】
【０００２】
建物の柱や壁、鼻隠し板などの被取付面に各種雨樋、例えば軒樋を取り付ける際に使用する軒樋支持具としては、例えば本願図７に示す吊り下げ式の軒樋支持具が知られている。すなわち、本願図７に示すように、公知の軒樋支持具Ｃは、その本体が被取付面に取着される取付部１ａと軒樋を支持する支持部２ａとからなり、支持部２ａの先端には軒樋の屋外側となる前耳部を支持する前耳支持部２１ａが設けられている。
【０００３】
一方、支持部２ａの下面部２２ａには板バネ片２３ａが突設され、取付部１ａの屋外側には、係止片１１ａが上方に傾斜して形成され、上記板バネ片２３ａとこの係止片１１ａとが軒樋の屋内側となる後耳部を挟持するように吊り下げて支持し、このようにして、軒樋は軒先の鼻隠し板などの被取付面に取り付けられる。また、取付部１ａには、複数のビス孔３ａが挿通され、釘、ネジ等の固着具によって被取付面にしっかりと固定される。
【０００４】
上記のようにして軒樋支持具に吊り下げて支持される軒樋は、弾性を有する合成樹脂から形成されたものが好ましく用いられ、例えば、ポリカーボネート樹脂、ＡＢＳ樹脂などの樹脂材料から軒樋本体、前耳部、後耳部を一体的に成形したものが用いられる。
【０００５】
上記した被取付面、例えば、鼻隠し板が木製の場合は、防火対策や美観の面で、その表面が金属カバーで覆われることが多い。この金属カバーとして、美観性の面から化粧鋼板が使用され、通常、この化粧鋼板としては、鋼板の表面を塩化ビニル樹脂材料にて被覆した化粧鋼板、いわゆる塩ビ鋼板が使用されている。
【０００６】
しかしながら、軒樋支持具の取付部が取着される鼻隠し板の表面が、たとえば上記塩ビ鋼板で被覆されている場合、この被覆層である塩化ビニル樹脂材料中に含まれるＤＯＰ（フタル酸ジオクチル）の一種であるＤＥＨＰ（フタル酸ジ−２−エチルヘキシル）等の可塑剤が被覆層の表面側に移行し、さらに、この可塑剤が、例えば、ＡＢＳ樹脂やポリカーボネート樹脂製の軒樋支持具の取付部の表面側に移行し浸透して、上記取付部自体を劣化（ストレスクラック）させるという問題がある。
【０００７】
上記した問題を解決するため、特開平０９−１６５８８８号公報には、鼻隠し板などの被取付面に可塑剤を含む塩化ビニル樹脂材料にて被覆された化粧鋼板が取り付けられていても、たとえばポリカーボネート樹脂製の軒樋支持具の取付部が上記可塑剤による機械的強度の劣化をうけることがなく、すぐれた品質特性を長期的に維持できる軒樋支持具が開示されている。
【０００８】
上記軒樋支持具Ｂは、本願図８に側面図で示すように、図７に示す公知の軒樋支持具Ｃの取付部１ａの裏面、すなわち、前記取付部１ａの被取付面に当接される面に、可塑剤の移行を防止する防止層４ａを設けたものであり、軒樋支持具がポリカーボネート樹脂製の場合、防止層を可塑剤を含まない硬質塩化ビニル樹脂層とするのが望ましいと記載されている。そして、具体的には、硬質塩化ビニル樹脂製の防止層４ａが約３ｍｍの厚さで一体に形成されていると述べられている。
【特許文献１】特開平０９−１６５８８８号公報
【発明の開示】
【発明が解決しようとする課題】
【０００９】
しかしながら、上記特許文献１に記載の軒樋支持具は、別途、可塑剤を含まない硬質塩化ビニル樹脂を準備しなければならず、また、取付部と支持部とからなる、例えば、ポリカーボネート樹脂製の軒樋支持具本体と上記硬質塩化ビニル樹脂とを一体的に成形しなければならず、成形工程が複雑となり、コスト的に有利に製造できないという問題がある。本願発明は上記背景技術に鑑みてなしたものであり、その目的は、簡単な工程で、コスト的に有利に被取付面から可塑剤が軒樋支持具の取付部へ移行することを防止できるとともに、ビス等の固着手段を仮固定し、作業性よく軒樋支持具を被取付面に固定することのできる軒樋支持具取付け構造を提供することである。
【課題を解決するための手段】
【００１０】
上記課題を解決するために、本願請求項１記載の発明に係る軒樋支持具取付け構造は、合成樹脂からなる軒樋支持具であって、該軒樋支持具の本体は被取付面に取着される取付け基台と軒樋を吊り下げ支持する支持部とからなり、上記取付け基台には挿通孔が穿たれるとともに、該挿通孔の内面は上記軒樋支持具を形成するベース合成樹脂とは異なる機能性樹脂でライニング成形されてビス孔とされ、取着用ビスの保持力が向上されたことを特徴としている。
【００１１】
本願請求項１記載の発明は、さらに、上記機能性樹脂を被取付面からの可塑剤の移行を阻止する能力がある合成樹脂から構成するとともに、ライニング部の被取付面側を上記挿通孔から突出させ隆起突出部が形成されたことを特徴としている。
【００１２】
本願請求項１記載の発明は、さらに、上記挿通孔の内面をライニングする機能性樹脂の成形収縮率をベース合成樹脂の成形収縮率に対して２倍以下とすることを特徴としている。
【００１３】
本願請求項２記載の発明は、上記請求項１記載の軒樋支持具取付け構造において、上記挿通孔の内面をライニングする機能性樹脂のビス孔入り口部に内方に突出する円環部が周設されたことを特徴としている。
【発明の効果】
【００１４】
本願請求項１記載の発明に係る軒樋支持具取付け構造においては、該軒樋支持具の本体は被取付面に取着される取付け基台と軒樋を吊り下げ支持する支持部とからなり、上記取付け基台には挿通孔が穿たれるとともに、該挿通孔の内面は上記軒樋支持具を形成するベース合成樹脂とは異なる機能性樹脂でライニング成形され、ビス孔とされているため、取着用ビスの保持力が向上し、取付け基台を軒先の鼻板等、被取付面にビス留めすることにより、軒樋支持具を被取付面にしっかりと固定することができる。
【００１５】
本願請求項１記載の発明に係る軒樋支持具取付け構造においては、さらに、上記機能性樹脂を被取付面からの可塑剤の移行を阻止する能力があるものとするとともに、ライニング部の被取付面側を上記挿通孔から突出させ隆起突出部を形成させているため、被取付面と取付け基台の裏面とが直接当接することをこの隆起突出部が阻止し、取付け基台に可塑剤が移行して劣化することを防止できる。
【００１６】
本願請求項１記載の発明に係る軒樋支持具取付け構造においては、さらに、上記挿通孔の内面をライニングする機能性樹脂の成形収縮率をベース合成樹脂の成形収縮率に対して２倍以下とすることにより、ベース合成樹脂に穿たれた挿通孔に機能性樹脂に嵌め込んでライニング成形するときに密着性が向上し、成形後外れや浮きが生じることを防ぐ。
【００１７】
本願請求項２記載の発明に係る軒樋支持具取付け構造においては、特に、上記挿通孔の内面をライニングする機能性樹脂のビス孔入り口部に内方に突出する円環部が周設されているため、この円環部が、電動ドリル等で取着用ビスを被取付面に螺入するとき、取着用ビスの仮固定部として機能し、作業性よく取付け基台を鼻板等の被取付面にビス固定することができる。
【発明を実施するための最良の形態】
【００１８】
図１は、本願発明の軒樋支持具取付け構造Ａの実施形態を示す斜視図である。図１に示すように、上記軒樋支持具取付け構造Ａは、その本体が被取付面に取着される取付け基台１と軒樋を支持する支持部２とからなり、支持部２の先端には図外軒樋の屋外側となる前耳部を支持する前耳支持部２１が設けられている。
【００１９】
一方、支持部２の下面部２２には板バネ片２３が突設され、取付け基台１の屋外側には、係止片１１が上方に傾斜して形成され、上記板バネ片２３とこの係止片１１とが図外軒樋の屋内側となる後耳部を挟持するように吊り下げて支持する。また、取付け基台１には、複数のビス孔３が挿通され、ビス孔３を挿通したビスは被取付面にしっかりと螺着し、取付け基台１が固定される。このようにして、軒樋は軒先の鼻隠し板などの被取付面に取り付けられる。また、ビス孔３の被取付面側には後記する隆起突出部４１が設けられている。
【００２０】
図２は、上記取付け基台１のビス孔３に取着用ビス５を挿通し、被取付面に螺着する状態を示す説明図である。図２に示すように、上記取付け基台１には挿通孔が穿たれるとともに、この挿通孔の内面は取付け基台１を形成するベース合成樹脂とは異なる機能性樹脂でライニングしてライニング部４を設けビス孔３とされている。このとき、上記機能性樹脂のライニング部４の被取付面側を突出して隆起突出部４１を形成させるとともに、機能性樹脂として可塑剤の移行を阻止する能力があるものを用いることにより、被取付面と取付け基台１の裏面とが直接当接することを阻止し、取付け基台１が可塑剤によって劣化することを防止する。
【００２１】
図３は、図２に示す実施形態の改良例を示す説明図である。図３に示すように、本改良例においては、上記機能性樹脂でライニングされたビス孔３の入り口部を内方に突出させて円環部４２が周設されている。この円環部４２は、電動ドリル等で取着用ビス５を被取付面に螺入するとき、取着用ビス５を保持する仮固定部として機能するため作業性よく取付け基台１を鼻板等の被取付面にビス固定することができる。
【００２２】
図４は、取付け基台１に図３に示す改良例にかかるビス孔３を設けた実施形態を示す縦断面図である。図４に示すように、隆起突出部４１は取付け基台１の裏面が図外被取付面に直接当接することを阻止して、取付け基台１が可塑剤によって劣化することを防止し、ビス孔３の入り口部内方に突出して周設された円環部４２が取着用ビス５を保持する仮固定部として機能することが示されている。
【００２３】
上記ベース合成樹脂としては、例えば、ＰＣ（ポリカーボネート）樹脂、硬質塩化ビニル樹脂、ＡＢＳ樹脂、ポリエステル樹脂、あるいはポリフェニレンサルファイド樹脂、ポリエーテルケトン樹脂、ポリエーテルエーテルケトン樹脂、ポリスルフォン樹脂などのエンジニアリング樹脂を使用することができる。コスト、品質および成形性の面から、ＰＣ（ポリカーボネート樹脂）が好ましく用いられる。また、機能性樹脂としては、ＰＰ（ポリプロピレン）樹脂、ＰＥ（ポリエチレン）樹脂、ＡＳ（アクリルスチレン共重合体）樹脂等が用いられる。
【００２４】
上記機能性樹脂をベース合成樹脂に穿たれた挿通孔に嵌め込んでライニング成形するときは、機能性樹脂の成形収縮率をベース合成樹脂の成形収縮率に対して２倍以下、好ましくは１．７倍以下とする。このようにすることによって、ベース合成樹脂と機能性樹脂の密着性が向上し、ライニング成形後、ライニング部４が外れたり、浮くことを防止できる。通常、上記機能性樹脂の成形収縮率の調整は、タルク等の添加物を添加することにより行われる。
［実施例］
ベース合成樹脂としてＰＣ樹脂を用い、機能性樹脂としてＰＰ樹脂を用い、このＰＰ樹脂にタルクを添加して成形収縮率を調整してライニング成形し、本発明にかかる軒樋支持具取付け構造を得た。得られた結果をまとめて図５に示す。実施例１、実施例２の結果から、得られた軒樋支持具取付け構造のライニング部の浮きが少ないことが明らかである。
［比較例］
ベース合成樹脂としてＰＣ樹脂を用い、機能性樹脂としてＰＰ樹脂を用い、このＰＰ樹脂に添加物を添加せず、成形収縮率を調整することなくライニング成形し、本発明にかかる軒樋支持具取付け構造を得た。得られた結果をまとめて図６に示す。比較例１、比較例２の結果から、得られた軒樋支持具取付け構造のライニング部に浮きの発生が見られ、上記機能性樹脂の成形収縮率とベース合成樹脂の成形収縮率の調整が重要であることが示されている。
【００２５】
上記実施例１、実施例２においては、タルクを添加することにより成形収縮率を調整したが、用いる機能性樹脂によっては、添加物を使用する必要がない場合もある。また、ベース合成樹脂と機能性樹脂との組み合わせにより、機能性樹脂の成形収縮率をベース合成樹脂の成形収縮率に対して２倍以下、好ましくは１．７倍以下とすることもできる。このように、本発明は設計変更自在であり、特許請求の範囲を逸脱しない限り、本発明の技術的範囲に属する。
【図面の簡単な説明】
【００２６】
【図１】本願発明の軒樋支持具取付け構造の実施形態を示す斜視図。
【図２】本願発明にかかる取付け基台のビス孔に取着用ビスを挿通し、被取付面に螺着する状態を示す説明図。
【図３】図２に示す実施形態の改良例を示す説明図。
【図４】図３に示す改良例にかかるビス孔を取付け基台に設けた実施形態を示す縦断面図。
【図５】実施例の結果をまとめて示す表。
【図６】比較例の結果をまとめて示す表。
【図７】公知の軒樋支持具を示す斜視図。
【図８】可塑剤の移行を防止する防止層が設けられた公知の軒樋支持具。
【符号の説明】
【００２７】
Ａ      本願発明にかかる軒樋支持具取付け構造
Ｂ      可塑剤の移行を防止する防止層が設けられた公知の軒樋支持具
Ｃ      公知の軒樋支持具
１      取付け基台
１１    係止片
２      支持部
２１    前耳支持部
２２    下面部
２３    板バネ片
３      ビス孔
４      ライニング部
４１    隆起突出部
４２    円環部
５      取着用ビス
【図１】
0005272365.tif 000002
【図２】
0005272365.tif 000003
【図３】
0005272365.tif 000004
【図４】
0005272365.tif 000005
【図５】
0005272365.tif 000006
【図６】
0005272365.tif 000007
【図７】
0005272365.tif 000008
【図８】
0005272365.tif 000009